(57)【要約】【課題】コストを低減することができる現金管理装置の提供。【解決手段】棒金トレイ３８には、棒金Ｂを立位状態で１カ所に複数本収納可能であって下方に凹む上方開口形状の棒金収納凹部４１が設けられており、棒金収納凹部４１は、前壁部４５が前方に凹み、後壁部４８が前方に突出する形状をなすとともに、棒金Ｂを満杯に収納する満杯状態で、前壁部４５および後壁部４８のそれぞれの左右方向中間部同士を結ぶように１列状に並べて４本の棒金Ｂを収納し、前壁部４５および後壁部４８のそれぞれの左右方向一側同士を結ぶように１列状に並べて４本の棒金Ｂを収納し、前壁部４５および後壁部４８のそれぞれの左右方向他側同士を結ぶように１列状に並べて４本の棒金Ｂを収納する。【選択図】図５
2016103070.tif 000002
【特許請求の範囲】
【請求項１】
現金管理装置本体と、
該現金管理装置本体に引き出し可能に設けられる収納庫と、を有する現金管理装置であって、
前記収納庫は、
枠体と、
棒金を収納可能であって前記枠体に設けられる複数の棒金トレイと、を備え、
前記棒金トレイには、
棒金を立位状態で１カ所に複数本収納可能であって下方に凹む上方開口形状の棒金収納凹部が設けられており、
前記棒金収納凹部は、
前壁部が前方に凹み、後壁部が前方に突出する形状をなすとともに、
棒金を満杯に収納する満杯状態で、前記前壁部および前記後壁部のそれぞれの左右方向中間部同士を結ぶように１列状に並べて４本の棒金を収納し、前記前壁部および前記後壁部のそれぞれの左右方向一側同士を結ぶように１列状に並べて４本の棒金を収納し、前記前壁部および前記後壁部のそれぞれの左右方向他側同士を結ぶように１列状に並べて４本の棒金を収納することを特徴とする現金管理装置。
【請求項２】
前記棒金収納凹部には、
棒金の下端部に係合する係合部が、前記前壁部および前記後壁部のそれぞれの左右方向中間部同士を結ぶように１列状に並ぶ４カ所と、前記前壁部および前記後壁部のそれぞれの左右方向一側同士を結ぶように１列状に並ぶ４カ所と、前記前壁部および前記後壁部のそれぞれの左右方向他側同士を結ぶように１列状に並ぶ４カ所と、に設けられていることを特徴とする請求項１記載の現金管理装置。
【請求項３】
前記係合部は、棒金の下端加締部の内側に係合可能であって、複数の分割部に分割されており、
隣り合う前記係合部は、互いに近接する前記分割部が１本の棒金の下端加締部の内側に同時に係合可能であることを特徴とする請求項２記載の現金管理装置。
【請求項４】
前記棒金収納凹部は、
前記係合部の隣り合う所定の２つで構成され、互いに近接する前記分割部が１本の棒金の下端加締部の内側に同時に係合可能な３位置係合可能部を６カ所有しており、
すべての前記３位置係合可能部は、他のすべての３位置係合可能部の前記係合部に対して、互いに近接する前記分割部が１本の棒金の下端加締部の内側に同時に係合不可となっていることを特徴とする請求項２または３記載の現金管理装置。
【請求項５】
前記棒金収納凹部の周囲には、
該棒金収納凹部内の満杯状態にない１本または複数本の棒金を立位状態に維持するように輪ゴムを係止可能な複数の係止部が設けられていることを特徴とする請求項１乃至４のいずれか一項記載の現金管理装置。
【発明の詳細な説明】
【技術分野】
【０００１】
本発明は、現金の管理に用いられる現金管理装置に関する。
【背景技術】
【０００２】
現金管理装置本体から引き出し可能に設けられた複数の収納庫に現金を収納し、現金の入出庫を行う現金管理装置がある（例えば特許文献１参照）。この現金管理装置には、複数の収納庫の中に棒金用の収納庫が設けられている。棒金用の収納庫では、満杯で棒金を１０本収納できる棒金トレイと、満杯にできない１０本未満の端数の棒金を収納できる棒金トレイとが金種別に用意されている。端数収納用の棒金トレイは、棒金の転倒防止用の補助棒を有しており、この点で、満杯収納用の棒金トレイとは異なっている。
【先行技術文献】
【特許文献】
【０００３】
【特許文献１】特開２０１３−１１８０１６号公報
【発明の概要】
【発明が解決しようとする課題】
【０００４】
上記の現金管理装置にあっては、棒金用の収納庫に複数の金種別の棒金トレイが装備されることになるが、金種別に満杯収納用と端数収納用の２種類の棒金トレイが使用されているため、コスト面で改善の余地があった。
【０００５】
本発明は、上記の点に鑑みなされたもので、コストを低減することができる現金管理装置の提供を目的とする。
【課題を解決するための手段】
【０００６】
上記目的を達成するために、請求項１に係る発明は、現金管理装置本体と、該現金管理装置本体に引き出し可能に設けられる収納庫と、を有する現金管理装置であって、前記収納庫は、枠体と、棒金を収納可能であって前記枠体に設けられる複数の棒金トレイと、を備え、前記棒金トレイには、棒金を立位状態で１カ所に複数本収納可能であって下方に凹む上方開口形状の棒金収納凹部が設けられており、前記棒金収納凹部は、前壁部が前方に凹み、後壁部が前方に突出する形状をなすとともに、棒金を満杯に収納する満杯状態で、前記前壁部および前記後壁部のそれぞれの左右方向中間部同士を結ぶように１列状に並べて４本の棒金を収納し、前記前壁部および前記後壁部のそれぞれの左右方向一側同士を結ぶように１列状に並べて４本の棒金を収納し、前記前壁部および前記後壁部のそれぞれの左右方向他側同士を結ぶように１列状に並べて４本の棒金を収納することを特徴とする。
【０００７】
請求項２に係る発明は、請求項１に係る発明において、前記棒金収納凹部には、棒金の下端部に係合する係合部が、前記前壁部および前記後壁部のそれぞれの左右方向中間部同士を結ぶように１列状に並ぶ４カ所と、前記前壁部および前記後壁部のそれぞれの左右方向一側同士を結ぶように１列状に並ぶ４カ所と、前記前壁部および前記後壁部のそれぞれの左右方向他側同士を結ぶように１列状に並ぶ４カ所と、に設けられていることを特徴とする。
【０００８】
請求項３に係る発明は、請求項２に係る発明において、前記係合部は、棒金の下端加締部の内側に係合可能であって、複数の分割部に分割されており、隣り合う前記係合部は、互いに近接する前記分割部が１本の棒金の下端加締部の内側に同時に係合可能であることを特徴とする。
【０００９】
請求項４に係る発明は、請求項２または３に係る発明において、前記棒金収納凹部は、前記係合部の隣り合う所定の２つで構成され、互いに近接する前記分割部が１本の棒金の下端加締部の内側に同時に係合可能な３位置係合可能部を６カ所有しており、すべての前記３位置係合可能部は、他のすべての３位置係合可能部の前記係合部に対して、互いに近接する前記分割部が１本の棒金の下端加締部の内側に同時に係合不可となっていることを特徴とする。
【００１０】
請求項５に係る発明は、請求項１乃至４のいずれか一項に係る発明において、前記棒金収納凹部の周囲には、該棒金収納凹部内の満杯状態にない１本または複数本の棒金を立位状態に維持するように輪ゴムを係止可能な複数の係止部が設けられていることを特徴とする。
【発明の効果】
【００１１】
請求項１に係る発明によれば、棒金収納凹部は、前壁部および後壁部のそれぞれの左右方向中間部同士を結ぶように１列状に並べて４本の棒金を収納可能であり、前壁部および後壁部のそれぞれの左右方向一側同士を結ぶように１列状に並べて４本の棒金を収納可能であって、前壁部および後壁部のそれぞれの左右方向他側同士を結ぶように１列状に並べて４本の棒金を収納可能となっている。そして、棒金収納凹部は、前壁部が前方に凹み、後壁部が前方に突出する形状をなしている。このため、前壁部および後壁部のそれぞれの左右方向中間部同士を結ぶように１列状に並べて４本の棒金を収納し、その左右両側に前に寄せて３本ずつの棒金を収納すれば、左右方向中間にある４本の棒金の倒れを前壁部および後壁部で規制することが可能となり、左右方向両側にあるそれぞれ３本の棒金の倒れを前壁部および左右方向中間の後端位置の棒金で規制することが可能となる。よって、１０本の棒金を立位状態で収納することが可能となる。また、このように１０本の棒金を収納した状態で、棒金収納凹部の左右両側の後端部に最大２本の棒金を追加収納することが可能となる。棒金収納凹部の左右両側の後端部に収納される棒金は、その前側の棒金と後壁部とで倒れが規制されることになる。したがって、同じ棒金トレイを１０本収納用と、端数を合わせて収納する１１本あるいは１２本収納用として使用することが可能となる。よって、満杯収納用および端数収納用の２種類の棒金トレイを用意することなく棒金を良好に収納可能となるため、コストを低減することができる。
【００１２】
請求項２に係る発明によれば、棒金収納凹部には、棒金の下端部に係合する係合部が、前壁部および後壁部のそれぞれの左右方向中間部同士を結ぶように１列状に並ぶ４カ所と、前壁部および後壁部のそれぞれの左右方向一側同士を結ぶように１列状に並ぶ４カ所と、前壁部および後壁部のそれぞれの左右方向他側同士を結ぶように１列状に並ぶ４カ所と、に設けられている。よって、棒金をセットする際に下端部を各収納位置の係合部に係合させることにより、各収納位置への棒金のセットが容易かつ正確にできる上、セット後の位置ズレを規制できる。したがって、セット作業の作業性が向上する。
【００１３】
請求項３に係る発明によれば、隣り合う係合部は、互いに近接する分割部が１本の棒金の下端加締部の内側に同時に係合可能であるため、同一の係合部を構成する分割部に棒金の下端加締部を係合させたり、隣り合う係合部の近接する分割部に棒金の下端加締部を係合させたりすることができる。よって、棒金の収納位置の自由度が高まることになり、使い勝手性を向上させることができる。
【００１４】
請求項４に係る発明によれば、係合部の隣り合う所定の２つで構成され、互いに近接する分割部が１本の棒金の下端加締部の内側に同時に係合可能な３位置係合可能部を６カ所有しているため、棒金の収納位置の自由度が高まることになり、使い勝手性を向上させることができる。
【００１５】
請求項５に係る発明によれば、棒金収納凹部の周囲に設けられた複数の係止部に輪ゴムを係止すれば、この輪ゴムで棒金収納凹部内の１本〜９本の棒金を立位状態に維持することができる。
【図面の簡単な説明】
【００１６】
【図１】本発明の一実施形態に係る現金管理装置を示す斜視図である。
【図２】本発明の一実施形態に係る現金管理装置を示す要部の制御系ブロック図である。
【図３】本発明の一実施形態に係る現金管理装置の棒金収納庫を示す斜視図である。
【図４】本発明の一実施形態に係る現金管理装置の棒金トレイを示す斜視図である。
【図５】本発明の一実施形態に係る現金管理装置の棒金トレイを示す平面図である。
【図６】図５のＸ−Ｘ断面図である。
【図７】図５のＹ−Ｙ断面図である。
【図８】本発明の一実施形態に係る現金管理装置の棒金トレイを示す１０本収納時の平面図である。
【図９】本発明の一実施形態に係る現金管理装置の棒金トレイを示す１２本収納時の平面図である。
【図１０】本発明の一実施形態に係る現金管理装置の棒金トレイを示す１本収納時の平面図である。
【図１１】本発明の一実施形態に係る現金管理装置の棒金トレイを示す３本収納時の平面図である。
【発明を実施するための形態】
【００１７】
本発明の一実施形態に係る現金管理装置を図面を参照して以下に説明する。なお、以下の説明において、「前」は操作者側、「後」は操作者とは反対側、「左」は操作者から見た左側、「右」は操作者から見た右側である。
【００１８】
図１に示す本実施形態に係る現金管理装置１０は、金融機関の店舗の係員側スペースに設置されて係員により取り扱われるものであり、より窓口カウンタに近い位置で使用され、主に小束紙幣および棒金を入出庫可能に収納するものである。
【００１９】
現金管理装置１０は、箱型の現金管理装置本体１１と、この現金管理装置本体１１に上下方向に複数段具体的には８段設けられた収納庫１２とを有している。これら収納庫１２は、その左右側壁に設けられたスライドレール１３を介して現金管理装置本体１１に対して水平方向に沿って引き出し可能となっている。これら収納庫１２は、前方に引き出されることで内部にアクセス可能となるように開かれ、後方に押し込まれると内部にアクセス不可となるように閉じられる。このように前後方向にのみ所定範囲でスライド可能となるように、各収納庫１２は現金管理装置本体１１に連結されている。
【００２０】
複数段の収納庫１２のうち、最も上側のものは、予備収納庫１２（Ａ）となっており、結束されていないバラ紙幣、包装されていないバラ硬貨、汚損紙幣や汚損硬貨、金券等を収納する。また、残りの収納庫１２は、上側４段が小束紙幣を収納する小束収納庫１２（Ｂ）となっており、下側３段が棒金を収納する棒金収納庫１２（Ｃ）となっている。勿論、収納庫１２の全体の数や、そのうちの小束収納庫１２（Ｂ）および棒金収納庫１２（Ｃ）の個々の数等は任意に設定可能であり、例えば、予備収納庫１２（Ａ）以外の全てを、棒金収納庫１２（Ｃ）とすることも勿論可能である。
【００２１】
現金管理装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報を表示する表示部１７と、操作者のＩＤカードを走査するカードリーダ１８と、操作者により操作される操作キーボード１９と、操作者に対して音声を出力する音声発生部２０とを有している。
【００２２】
現金管理装置本体１１には、複数の収納庫１２のそれぞれに対して、収納庫１２を閉状態で個別にロックする図２に示すロック機構２２が設けられており、図１に示す複数の収納庫１２のそれぞれの側方に、ロック機構２２のロック解除時のみ点灯する表示灯２３が設けられている。さらに、現金管理装置本体１１には、図２に示すように、操作表示部１５、プリンタ１６、音声発生部２０、ロック機構２２および表示灯２３等に接続されてこれらを制御する制御部２５と、収納している棒金および小束紙幣の数量情報および金種情報や処理関連のデータ等を記憶する記憶部２６とが設けられている。
【００２３】
収納庫１２は、図３に示すように、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、図１に示す小束収納庫１２（Ｂ）と棒金収納庫１２（Ｃ）とで共通となっている。図３に示す枠体３４は、一対の側板部３２が図１に示すスライドレール１３の一側に連結されており、スライドレール１３の他側が現金管理装置本体１１に連結されていて、これにより現金管理装置本体１１に対して引き出し可能となっている。
【００２４】
図３に示す棒金収納庫１２（Ｃ）は、棒金Ｂを入出庫可能に収納するものである。棒金収納庫１２（Ｃ）は、棒金Ｂを収納可能であって上記した枠体３４に取り付けられて固定される複数、具体的には、前後に金種径に応じて６つまたは５つ、左右に４列の合成樹脂製の棒金トレイ３８を有している。
【００２５】
ここで、各棒金トレイ３８は、それぞれ予め設定された単一の収納対象金種の棒金Ｂのみが収納されるように決められている。また、左右方向における同列に配置されて前後に１列に並ぶ複数の棒金トレイ３８は、全て収納対象金種が同一金種となっている。例えば、図１に示す３段の棒金収納庫１２（Ｃ）のうちの最も上段の棒金収納庫１２（Ｃ）は、図３に示すように並べられた最も左側および左から２番目の２列の棒金トレイ３８が共に１円棒金収納用、最も右側および右から２番目の２列の棒金トレイ３８が共に５円棒金収納用となっている。また、３段の棒金収納庫１２（Ｃ）のうちの上から２段目の棒金収納庫１２（Ｃ）は、最も左側および左から２番目の２列の棒金トレイ３８が共に１０円棒金収納用、最も右側および右から２番目の２列の棒金トレイ３８が共に５０円棒金収納用となっている。また、３段の棒金収納庫１２（Ｃ）のうちの最下段の棒金収納庫１２（Ｃ）は、最も左側および左から２番目の２列の棒金トレイ３８が共に１００円棒金収納用、最も右側および右から２番目の２列の棒金トレイ３８が共に５００円棒金収納用となっている。勿論、各棒金収納庫１２（Ｃ）への収納金種は任意に設定可能であり、頻繁に出庫が行われる金種（１円棒金、１０円棒金および１００円棒金）を一つの棒金収納庫１２（Ｃ）に纏めて収納するようにしても良い。また、左右方向における同列に配置されて前後に１列に並ぶ複数の棒金トレイ３８は、必ずしも全て収納対象金種が同一金種となっていなくても良い。
【００２６】
棒金Ｂは、単一金種の硬貨を所定枚数（５０枚）だけ中心軸線を一致させて集積してなる集積硬貨を、その外周面全体に樹脂フィルムあるいは紙からなる包装紙を所定長さ巻き付けて一体化したものであり、略円柱状をなしている。
【００２７】
図３に示すように、棒金トレイ３８には、棒金Ｂが中心軸線を上下方向に沿わせた立位状態で収納される。図４に示すように、棒金トレイ３８は、長方形の平板状をなして水平に配置される基板部４０と、基板部４０の水平方向における内側部分に設けられて下方に凹む上方開口形状をなす棒金収納凹部４１とを有している。棒金トレイ３８は、この棒金収納凹部４１にその上端開口部を介して上方から棒金Ｂが挿入されることになり、この棒金収納凹部４１は、このように挿入された棒金Ｂを図３に示すように上方に一部突出させて収納する。一つの棒金トレイ３８に棒金収納凹部４１が１カ所のみ設けられている。
【００２８】
図４に示すように、棒金収納凹部４１は、鉛直方向に沿う内周壁部４３と、内周壁部４３の下部を閉塞する全体として水平方向に沿う底部４４とを有している。内周壁部４３は、基板部４０よりも下方向に延出しており、よって、底部４４は基板部４０よりも下方に位置している。
【００２９】
図５に示すように、内周壁部４３は、前側の前壁部４５と、左側の側壁部４６と、右側の側壁部４７と、後側の後壁部４８とを有している。
【００３０】
前壁部４５は、左右方向の中間部に前側に向け凹状をなして設けられる湾曲壁面４５ａと、湾曲壁面４５ａの左端から左後方に延出する平坦な平坦壁面４５ｂと、平坦壁面４５ｂの左端から左後方に、左側かつ若干前側に向け凹状をなして延出する湾曲壁面４５ｃと、湾曲壁面４５ａの右端部から右方に、前側に向け凹状をなして延出する湾曲壁面４５ｄと、を有している。湾曲壁面４５ａ，４５ｃ，４５ｄは、いずれも円筒を一部切り取った形状をなしている。平坦壁面４５ｂが湾曲壁面４５ａから斜め後方に延出しており、湾曲壁面４５ｄは湾曲壁面４５ａの前端位置よりも後側に位置しているため、前壁部４５は、左右方向の中間部が両側よりも前側に位置するように前方に凹む形状をなしている。
【００３１】
左側の側壁部４６は、湾曲壁面４５ｃの後端から湾曲壁面４５ｃと同一の円筒面状をなして右後方に、左側かつ若干後側に向け凹状をなして延出する湾曲壁面４６ａと、湾曲壁面４６ａの後端から左後方に、左側かつ若干前側に向け凹状をなして延出する湾曲壁面４６ｂと、湾曲壁面４６ｂの後端から後方に延出する平坦な平坦壁面４６ｃと、平坦壁面４６ｃの後端から右後方に、左側かつ若干後側に向け凹状をなして延出する湾曲壁面４６ｄと、湾曲壁面４６ｄの後端から左後方に、左側かつ若干前側に向け凹状をなして延出する湾曲壁面４６ｅと、を有している。湾曲壁面４６ａ，４６ｂ，４６ｄ，４６ｅは左端位置を平坦壁面４６ｃと一致させており、これらを有する左側の側壁部４６は、全体として前後方向に延在している。
【００３２】
右側の側壁部４７は、湾曲壁面４５ｄの後端から後方に延出する平坦な平坦壁面４７ａと、平坦壁面４７ａの後端から左後方に、右側かつ若干後側に向け凹状をなして延出する湾曲壁面４７ｂと、湾曲壁面４７ｂの後端から右後方に、右側かつ若干前側に向け凹状をなして延出する湾曲壁面４７ｃと、湾曲壁面４７ｃの後端から後方に延出する平坦な平坦壁面４７ｄと、を有している。平坦壁面４７ａ，４７ｄは前後方向に沿う同一平面に配置されており、湾曲壁面４７ｂ，４７ｃは右端位置を平坦壁面４７ａ，４７ｄに一致させている。これらを有する右側の側壁部４７は、全体として前後方向に延在しており、全体として側壁部４６と平行をなしている。
【００３３】
後壁部４８は、湾曲壁面４６ｅの後端から湾曲壁面４６ｅと同一の円筒面状をなして右後方に、後側かつ左側に向け凹状をなして延出する湾曲壁面４８ａと、湾曲壁面４８ａの右端から右前方に延出する平坦な平坦壁面４８ｂと、平坦壁面４８ｂの右端から右後方に延出する平坦な平坦壁面４８ｃと、平坦壁面４７ｄの後端から左方に、後側に向け凹状をなして延出して平坦壁面４８ｃの右端に繋がる湾曲壁面４８ｄと、を有している。後壁部４８において湾曲壁面４８ａ，４８ｄの後端位置よりもこれらの間の平坦壁面４８ｂ，４８ｃが前側に位置しており、よって、後壁部４８は、左右方向の中間部が両側よりも前側に位置するように前方に突出する形状をなしている。
【００３４】
棒金収納凹部４１を形成する湾曲壁面４５ａ，４５ｃ，４５ｄ，４６ａ，４６ｂ，４６ｄ，４６ｅ，４７ｂ，４７ｃ，４８ａ，４８ｄは、いずれも湾曲の中心を棒金収納凹部４１の内側空間に配置している。棒金収納凹部４１には、予め設定された単一の収納対象金種の棒金Ｂのみが収納されることになり、湾曲壁面４５ａ，４５ｃ，４５ｄ，４６ａ，４６ｂ，４６ｄ，４６ｅ，４７ｂ，４７ｃ，４８ａ，４８ｄの径は、収納対象金種の棒金Ｂの外径よりも若干大径となっている。
【００３５】
湾曲壁面４５ａの湾曲の中心と湾曲壁面４５ｃ，４６ａの湾曲の中心との距離と、湾曲壁面４５ｃ，４６ａの湾曲の中心と湾曲壁面４６ｂの湾曲の中心との距離と、湾曲壁面４６ｂの湾曲の中心と湾曲壁面４６ｄの湾曲の中心との距離と、湾曲壁面４６ｄの湾曲の中心と湾曲壁面４６ｅ，４８ａの湾曲の中心との距離との距離とは、いずれも収納対象金種の棒金Ｂの外径と同等になっている。同様に、湾曲壁面４５ａの湾曲の中心と湾曲壁面４５ｄの湾曲の中心との距離と、湾曲壁面４５ｄの湾曲の中心と湾曲壁面４７ｂの湾曲の中心との距離と、湾曲壁面４７ｂの湾曲の中心と湾曲壁面４７ｃの湾曲の中心との距離と、湾曲壁面４７ｃの湾曲の中心と湾曲壁面４８ｄの湾曲の中心との距離とは、いずれも収納対象金種の棒金Ｂの外径と同等になっている。
【００３６】
また、前後に位置がずれている湾曲壁面４５ｄの湾曲の中心と湾曲壁面４６ｂの湾曲の中心との距離と、前後に位置がずれている湾曲壁面４６ｄの湾曲の中心と湾曲壁面４７ｂの湾曲の中心との距離と、前後に位置がずれている湾曲壁面４６ｅ，４８ａの湾曲の中心と湾曲壁面４７ｃの湾曲の中心との距離とは、いずれも収納対象金種の棒金Ｂの外径の２倍と同等となっている。これにより、側壁部４６，４７の棒金収納凹部４１内側の最大距離つまり平坦壁面４６ｃと平坦壁面４７ａ，４７ｄとの距離は、収納対象金種の棒金Ｂの外径の３倍よりも小さくなっている。
【００３７】
加えて、前壁部４５の棒金収納凹部４１内側の前端位置である湾曲壁面４５ａの前端位置と、後壁部４８の棒金収納凹部４１内側の前端位置である平坦壁面４８ｂ，４８ｃ間の境界位置との前後方向の距離は、収納対象金種の棒金Ｂの外径の４倍とほぼ同等になっている。さらに、湾曲壁面４５ａの湾曲の中心と湾曲壁面４５ｃ，４６ａの湾曲の中心との前後方向の距離と、湾曲壁面４５ａの湾曲の中心と湾曲壁面４５ｄの湾曲の中心との前後方向の距離とは、いずれも収納対象金種の棒金Ｂの外径の半分と同等になっている。
【００３８】
棒金収納凹部４１における湾曲壁面４５ａ，４５ｃ，４６ａおよび平坦壁面４５ｂの内側近接位置は、長穴の一部の形状をなしており、湾曲壁面４５ａの湾曲の中心と、湾曲壁面４５ｃ，４６ａの湾曲の中心との距離は、上記のように収納対象金種の棒金Ｂの外径と同等になっている。よって、湾曲壁面４５ａ，４５ｃ，４６ａおよび平坦壁面４５ｂの内側には、ほぼ隙間なく収納対象金種の２本の棒金Ｂが立設状態に配置可能である。棒金収納凹部４１における湾曲壁面４５ａ，４５ｃ，４６ａおよび平坦壁面４５ｂの内側部分が、最大２本の棒金Ｂを立位状態に収納可能であって１本の棒金Ｂを内周壁部４３に干渉させずに水平移動可能とする２本収納空間５１になっている。
【００３９】
棒金収納凹部４１において、同様の形状をなす、湾曲壁面４６ｂ，４６ｄおよび平坦壁面４６ｃの内側部分も、同様の２本収納空間５２となっており、湾曲壁面４５ｄ，４７ｂおよび平坦壁面４７ａの内側部分も、同様の２本収納空間５３になっていて、湾曲壁面４７ｃ，４８ｄおよび平坦壁面４７ｄの内側部分も、同様の２本収納空間５４になっている。
【００４０】
また、棒金収納凹部４１において、これらとは形状は異なるが、湾曲壁面４６ｅ，４８ａおよび平坦壁面４８ｂの内側部分も、同様の２本収納空間５５になっており、これら２本収納空間５１〜５５で囲まれた部分も、同様の２本収納空間５６になっている。
【００４１】
このように一つの棒金トレイ３８に１カ所設けられた棒金収納凹部４１に６カ所の２本収納空間５１〜５６が設けられており、よって、１カ所の棒金収納凹部４１に収納対象金種の棒金Ｂを立位状態で最大１２本収納可能となっている。
【００４２】
棒金収納凹部４１に満杯状態で収納された収納対象金種の棒金Ｂのうち、２本収納空間５１の前側（右側）に収納された１本の棒金Ｂと、中央の２本収納空間５６に収納された２本の棒金Ｂと、２本収納空間５５の前側（右側）に収納された１本の棒金Ｂとは、左右方向の位置を合わせて前後方向にほぼ隙間なく並ぶことになる。これら４本の棒金Ｂは、前壁部４５および後壁部４８のそれぞれの左右方向中間部同士を結ぶように１列状に並ぶことになる。
【００４３】
また、棒金収納凹部４１に満杯状態で収納された収納対象金種の棒金Ｂのうち、２本収納空間５１の後側（左側）に収納された１本の棒金Ｂと、２本収納空間５２に収納された２本の棒金Ｂと、２本収納空間５５の後側（左側）に収納された１本の棒金Ｂとは、左右方向の位置を合わせて前後方向にほぼ隙間なく並ぶことになる。これら４本の棒金Ｂは、前壁部４５および後壁部４８のそれぞれの左右方向一側同士を結ぶように棒金収納凹部４１の左側において１列状に並ぶことになる。これら４本の棒金Ｂは、左右方向の中央の列の４本の棒金Ｂに対して、棒金Ｂの半径分だけ後側にずれてほぼ隙間なく密接することになる。
【００４４】
また、棒金収納凹部４１に満杯状態で収納された収納対象金種の棒金Ｂのうち、２本収納空間５３に収納された２本の棒金Ｂと、２本収納空間５４に収納された２本の棒金Ｂとは、左右方向の位置を合わせて前後方向にほぼ隙間なく並ぶことになる。これら４本の棒金Ｂは、前壁部４５および後壁部４８のそれぞれの左右方向他側同士を結ぶように棒金収納凹部４１の右側において１列状に並ぶことになる。これら４本の棒金Ｂは、左右方向の中央の列の４本の棒金Ｂに対して、棒金Ｂの半径分だけ後側にずれてほぼ隙間なく密接することになる。
【００４５】
つまり、棒金収納凹部４１は、棒金Ｂを満杯に収納する満杯状態で、前壁部４５および後壁部４８のそれぞれの左右方向中間部同士を結ぶように１列状に並べて４本の収納対象金種の棒金Ｂを収納し、前壁部４５および後壁部４８のそれぞれの左右方向一側同士を結ぶように１列状に並べて４本の収納対象金種の棒金Ｂを収納し、前壁部４５および後壁部４８のそれぞれの左右方向他側同士を結ぶように１列状に並べて４本の収納対象金種の棒金Ｂを収納する。しかも、満杯収納の際に、棒金収納凹部４１は、収納対象金種の１２本の棒金Ｂを、密接状態とし、前端部が前方に突出し、後端部が前方に凹み、左右両側が前後方向に沿う全体形状をなすように並べて収納する。
【００４６】
底部４４には、すべての２本収納空間５１〜５６のそれぞれの棒金収納の定位置に、収納対象金種の棒金Ｂの下端部に係合する係合部６１が２カ所ずつ形成されている。内周壁部４３による上記した棒金Ｂの収納形状により、係合部６１は、満杯状態にある棒金Ｂと同様に、前壁部４５および後壁部４８のそれぞれの左右方向中間部同士を結ぶように１列状に並ぶ４カ所と、前壁部４５および後壁部の４８それぞれの左右方向一側同士を結ぶように１列状に並ぶ４カ所と、前壁部４５および後壁部４８のそれぞれの左右方向他側同士を結ぶように１列状に並ぶ４カ所と、に設けられている。
【００４７】
係合部６１は、図７に示すように、収納対象金種の棒金Ｂの下端加締部ＰＫの内側に入り込んでこの棒金Ｂの最下端の硬貨Ｃに当接する。つまり、係合部６１は、収納対象金種の棒金Ｂの下端部である下端加締部ＰＫの内側に係合する。係合部６１は、複数具体的には二つの分割部６２に分割されている。これらの分割部６２は、図６に示すように短柱状をなしており、図５に示すように平面視楕円形をなし、互いに長軸を平行させ、互いに長軸方向の位置を合わせている。係合部６１は、図７に示すように、これを構成する２カ所の分割部６２，６２が、収納対象金種の棒金Ｂの下端部である下端加締部ＰＫの内側に係合する。
【００４８】
ここで、２本収納空間５１〜５６のうちの同一の２本収納空間に配置された２カ所の係合部６１は、いずれも配置された２本収納空間における定位置に収納された棒金Ｂの配列方向に分割部６２が並んでいる。そして、２本収納空間５１〜５６のうちの同一の２本収納空間に配置された２カ所の係合部６１は、互いに近接する分割部６２が１本の収納対象金種の棒金Ｂの下端加締部ＰＫの内側に同時に入り込みこの棒金Ｂの最下端の硬貨Ｃに当接する。つまり、同一の２本収納空間に配置された２カ所の係合部６１は、互いに近接する分割部６２が１本の棒金Ｂの下端部である下端加締部ＰＫの内側に係合可能であり、すべての２本収納空間５１〜５６がこのように構成されている。
【００４９】
よって、２本収納空間５１〜５６のうちの同一の２本収納空間に設けられた隣り合う所定の２カ所の係合部６１は、互いに近接する分割部６２が１本の棒金Ｂの下端加締部ＰＫの内側に同時に係合可能であり、その結果、図７に二点鎖線で示すように異なる３位置の棒金Ｂの下端部である下端加締部ＰＫの内側に同時に係合可能な３位置係合可能部６３となっている。棒金収納凹部４１は、３位置係合可能部６３を６カ所有している。ここで、６カ所のすべての３位置係合可能部６３は、他のすべての３位置係合可能部６３の係合部６１に対して、互いに近接する分割部６２の最大距離が１本の棒金Ｂの下端加締部ＰＫの内径よりも大きく、１本の棒金Ｂの下端加締部ＰＫの内側に同時には係合不可な距離離れている。なお、図５においては、係合部６１に係合する全位置の棒金Ｂを二点鎖線で示している。
【００５０】
各係合部６１には、係合する棒金Ｂの有無および金種を検出する磁気センサ等の棒金検出センサ７１がそれぞれの一方の分割部６２のみに設けられており、しかも、２本収納空間５１〜５６のうちの同一の２本収納空間に設けられた隣り合う係合部６１において、互いに近接する分割部６２の一方のみに棒金検出センサ７１が設けられている。具体的に、２本収納空間５１〜５６のうちの同一の２本収納空間に設けられた隣り合う２カ所の係合部６１において、４カ所の分割部６２の一つおきに棒金検出センサ７１が設けられている。２本収納空間５１〜５６のうちの同一の２本収納空間に設けられた２つの棒金検出センサ７１は、一方のみが棒金Ｂを検出しているときは、この２本収納空間に棒金Ｂが１本のみ収納されていることを検出し、両方が棒金Ｂを検出しているときは、この２本収納空間に棒金Ｂが２本収納されていることを検出する。
【００５１】
図８に示すように、棒金収納凹部４１に、前壁部４５および後壁部４８のそれぞれの左右方向中間部同士を結ぶように１列状に並べて４本の棒金Ｂを収納し、これら棒金Ｂの左右両側にそれぞれ棒金収納凹部４１内の前に寄せて３本ずつの棒金Ｂを収納する。つまり、前壁部４５および後壁部４８のそれぞれの左右方向中間部同士を結ぶように１列状に並ぶ４カ所の係合部６１と、前壁部４５および後壁部４８のそれぞれの側壁部４６側同士を結ぶように１列状に並ぶ４カ所の係合部６１のうちの前寄りの３カ所の係合部６１と、前壁部４５および後壁部４８のそれぞれの側壁部４７側同士を結ぶように１列状に並ぶ４カ所の係合部６１のうちの前寄りの３カ所の係合部６１とに棒金Ｂの下端部を係合させて、１０本の棒金Ｂを棒金収納凹部４１に収納する。
【００５２】
すると、前壁部４５、左右の側壁部４６，４７および後壁部４８が１０本の棒金Ｂを左右方向の中間に４本、左右両側それぞれに３本ずつ隙間なく纏めて６角形状に収納することになる。このとき、前壁部４５が前方に凹み、後壁部４８が前方に突出する形状をなしていることから、左右方向中間で１列状に並ぶ４本の棒金Ｂの前後方向の倒れを、前壁部４５および後壁部４８で規制することになる。また、左右方向中間で１列状に並ぶ４本の棒金Ｂの左右方向の倒れを、他の棒金Ｂおよび左右の側壁部４６，４７で規制することになる。加えて、左右方向両側にある３本ずつの棒金Ｂについて、前後方向の倒れを前壁部４５と左右方向中間の後端位置の棒金Ｂとで規制することになり、左右方向の倒れを、他の棒金Ｂおよび左右の側壁部４６，４７で規制することになる。よって、棒金収納凹部４１には、１０本の棒金Ｂを立位状態で倒れを規制しつつ収納することができる。
【００５３】
言い換えれば、１２本収納可能な棒金収納凹部４１に上記のように１０本の棒金Ｂが六角形状に収納された状態で、１０本のすべての棒金Ｂは、前壁部４５、左右の側壁部４６，４７および後壁部４８と、他の棒金Ｂとで水平方向の移動が規制されることになり、棒金収納凹部４１の左右両側の後端部の空きスペースへの移動が規制される。
【００５４】
また、このように１０本の棒金Ｂを六角形状に収納した状態では、棒金収納凹部４１の空いている左右両側の後端部の空きスペースに、これら空きスペースに配置された係合部６１に係合させるようにして端数の棒金Ｂを図９に示すように収納することができる。棒金収納凹部４１の左右両側の後端部の空きスペースに収納された棒金Ｂは、いずれもその前側の棒金Ｂと後壁部４８とで前後方向の倒れが規制され、側壁部４６，４７のうちの同側のものと中央後端の棒金Ｂとで左右方向の倒れが規制されることになる。
【００５５】
したがって、同じ棒金トレイ３８を１０本収納用と、端数を合わせて収納する１１本あるいは１２本収納用として使用することができる。ここで、１台の現金管理装置１０に同一金種用の棒金トレイ３８が複数設けられる場合、これら棒金トレイ３８のそれぞれに２本ずつの端数棒金Ｂを収納できることになる。よって、１台の現金管理装置１０に、同一金種用の棒金トレイ３８の数の２倍の本数の端数棒金Ｂを収納できることになる。例えば、全金種について同一金種用の棒金トレイ３８を少なくとも５つずつ設けることで、同一金種用の全ての棒金トレイ３８に１０本ずつ棒金Ｂを収納した状態で、最大１０本の棒金Ｂを立位状態で倒れを規制しつつ追加収納することができ、１〜９本の端数棒金Ｂを立位状態で倒れを規制しつつ収納することができることになる。
【００５６】
棒金トレイ３８の棒金収納凹部４１の周囲の基板部４０には、無端環状の図１０に示す輪ゴムＲを掛けるための複数の柱状の係止部８１が立設されている。図６に示すように、これらの係止部８１は、基板部４０から棒金収納凹部４１の上端開口部よりも上方まで延出している。各係止部８１は、基板部４０から立ち上がる円柱状の柱状部８２と、柱状部８２の上端部から棒金収納凹部４１とは水平反対方向に突出する突起部８３とを有している。突起部８３は、その全体が棒金収納凹部４１の上端開口部よりも上側に位置するように形成されている。
【００５７】
図５に示すように、係止部８１に形成された突起部８３は、柱状部８２と同心の扇状をなしており、より具体的には半円状をなしている。平坦壁部４５ｂ，４６ｃ，４７ａ，４７ｄのそれぞれの水平な垂直二等分線上と、湾曲壁面４５ａ，４５ｄの中心同士を結ぶ線の水平な垂直二等分線上と、湾曲壁面４６ａ，４６ｂの中心同士を結ぶ線の水平な垂直二等分線上と、湾曲壁面４６ｄ，４６ｅの中心同士を結ぶ線の水平な垂直二等分線上と、湾曲壁面４７ｂ，４７ｃの中心同士を結ぶ線の水平な垂直二等分線上と、湾曲壁面４８ａ，４８ｄの中心同士を結ぶ線の水平な垂直二等分線上と、に係止部８１が設けられている。つまり、係止部８１は、一つの棒金トレイ３８に９カ所設けられている。
【００５８】
図１０，図１１に示すように、複数の係止部８１は、棒金収納凹部４１内の満杯状態にない１本または複数本の棒金Ｂを立位状態に維持するように輪ゴムＲを係止可能となっている。例えば、棒金Ｂを１本だけ棒金収納凹部４１に収納する場合には、棒金Ｂの下端加締部ＰＫを任意の係合部６１に係合させて、例えば図１０に示すように、この係合部６１に近い３カ所の係止部８１の柱状部８２に、これらの柱状部８２と棒金Ｂとを内側に配置しつつ輪ゴムＲを掛ける。すると、輪ゴムＲが内周壁部４３とで棒金Ｂの倒れを規制する。これにより、１０本収納状態の棒金収納凹部４１を用いなくても、１本のみの棒金Ｂを立位状態で倒れを規制しつつ棒金収納凹部４１に収納することができる。なお、２本収納空間５１〜５６のうちの同一の２本収納空間に設けられた隣り合う所定の２カ所の係合部６１の互いに近接する分割部６２に１本の棒金Ｂの下端加締部ＰＫの内側を同時に係合させた状態でも、この棒金Ｂの倒れを、係止部８１に係止された輪ゴムＲと内周壁部４３とで規制することができる。
【００５９】
また、例えば、棒金Ｂを３本だけ棒金収納凹部４１に収納する場合に、これらの棒金Ｂの下端加締部ＰＫを３カ所の近接する係合部６１に嵌合させて、例えば図１１に示すように、これら係合部６１に近い４カ所の係止部８１の柱状部８２に、これらの柱状部８２と３本の棒金Ｂとを内側に配置しつつ輪ゴムＲを掛ける。すると、輪ゴムＲが内周壁部４３とで３本の棒金Ｂの倒れを抑制する。これにより、１０本収納状態の棒金収納凹部４１を用いなくても、３本のみの棒金Ｂを立位状態で倒れを規制しつつ棒金収納凹部４１に収納することができる。図１１に示す二点鎖線は、さらに１本の棒金Ｂを追加して収納する場合を示している。適宜の係止部８１を選択して、選択した係止部８１の柱状部８２と棒金Ｂとを内側に配置するように輪ゴムＲを掛けることで、１０本収納状態の棒金収納凹部４１を用いなくても、棒金収納凹部４１において１本〜９本の棒金Ｂを、立位状態に維持することができる。
【００６０】
現金管理装置１０において、全ての金種について、同一金種用の棒金トレイ３８は共通部品となっている。つまり、現金管理装置１０において、同一金種用となる１円棒金用の全ての棒金トレイ３８が共通部品となっており、同一金種用となる５円棒金用の全ての棒金トレイ３８が共通部品となっており、同一金種用となる１０円棒金用の全ての棒金トレイ３８が共通部品となっており、同一金種用となる５０円棒金用の全ての棒金トレイ３８が共通部品となっており、同一金種用となる１００円棒金用の全ての棒金トレイ３８が共通部品となっており、同一金種用となる５００円棒金用の全ての棒金トレイ３８が共通部品となっている。
【００６１】
なお、棒金トレイ３８から係止部８１を廃止することも可能であり、この場合、現金管理装置１０の全ての棒金収納庫１２（Ｃ）に設けられる全ての棒金トレイ３８について係止部８１を持たない設定とすることができる。
【００６２】
各棒金トレイ３８には、それぞれの基板部４０の上面に、図４に示すように、収納対象の金種を目視可能に明示する金種明示部９１が設けられている（図４は１０円棒金の例）。各棒金トレイ３８に収納すべき設定金種を示す収納金種データは、予め設定されて記憶部２６に記憶されることになる。
【００６３】
現金管理装置本体１１には、収納庫１２が現金管理装置本体１１に最も押し込まれた後端位置である全閉位置にあることを検出する図２に示す全閉検出センサ９６が収納庫１２のそれぞれに対して設けられている。現金管理装置本体１１には、収納庫１２が現金管理装置本体１１から引き出された開状態にあることを検出する開検出センサ９７が収納庫１２のそれぞれに対して設けられている。
【００６４】
加えて、現金管理装置本体１１には、収納庫１２を個別に全閉位置でロックするロック機構２２が設けられている。ロック機構２２は、制御部２５から出力される開指令信号で開状態となる。制御部２５は、開状態とした収納庫１２が現金管理装置本体１１から引き出されたことが開検出センサ９７で検出されると、開指令信号を停止させることになり、この状態でロック機構２２は、収納庫１２が全閉位置に戻されると、収納庫１２を引き出し不可に自動的かつ機械的にロックする。制御部２５は、一の収納庫１２が現金管理装置本体１１から引き出されたことが開検出センサ９７で検出された後、この一の収納庫１２が全閉位置に戻されたことが全閉検出センサ９６で検出されると、この一の収納庫１２に収納された棒金Ｂの金種別の数を全ての棒金検出センサ７１の検出結果から把握する。
【００６５】
以上に述べた本実施形態に係る現金管理装置１０によれば、棒金収納凹部４１は、棒金Ｂを満杯に収納する満杯状態で、前壁部４５および後壁部４８のそれぞれの左右方向中間部同士を結ぶように１列状に並べて４本の棒金Ｂを収納し、前壁部４５および後壁部４８のそれぞれの左右方向一側同士を結ぶように１列状に並べて４本の棒金を、左右方向中間部の４本の棒金Ｂに対し棒金Ｂの半径分だけ後方にずらして収納し、前壁部４５および後壁部４８のそれぞれの左右方向他側同士を結ぶように１列状に並べて４本の棒金Ｂを、左右方向中間部の４本の棒金Ｂに対し棒金Ｂの半径分だけ後方にずらして収納する。棒金収納凹部４１は、このような棒金Ｂの収納形態に合わせて前壁部４５が前方に凹み、後壁部４８が前方に突出する形状をなしている。この形状により、棒金収納凹部４１は、前壁部４５および後壁部４８のそれぞれの左右方向中間部同士を結ぶように１列状に並べて４本の棒金Ｂを収納し、その左右両側に前に寄せて３本ずつの棒金Ｂを収納すれば、左右方向中間にある４本の棒金Ｂの倒れを前壁部４５および後壁部４８で規制することができ、左右方向両側にあるそれぞれ３本の棒金Ｂの倒れを前壁部４５および左右方向中間の後端位置の棒金Ｂで規制することができる。よって、１０本の棒金Ｂを立位状態で倒れを規制しつつ収納することができる。
【００６６】
また、このように１０本の棒金Ｂを収納した状態で生じる、棒金収納凹部４１の左右両側の後端部の空きスペースに最大２本の棒金Ｂを収納することができる。棒金収納凹部４１の左右両側の後端部に収納される棒金Ｂは、その前側の棒金Ｂと後壁部４８とで倒れが規制されることになる。したがって、同じ棒金トレイを１０本収納用と、端数を合わせて収納する１１本あるいは１２本収納用として使用することができる。よって、満杯収納用および端数収納用の２種類の棒金トレイを用意することなく棒金Ｂを良好に収納可能となるため、コストを低減することができる。
【００６７】
また、棒金収納凹部４１には、棒金Ｂの下端部に係合する係合部６１が、前壁部４５および後壁部４８のそれぞれの左右方向中間部同士を結ぶように１列状に並ぶ４カ所と、前壁部４５および後壁部４８のそれぞれの左右方向一側同士を結ぶように１列状に並ぶ４カ所と、前壁部４５および後壁部４８のそれぞれの左右方向他側同士を結ぶように１列状に並ぶ４カ所と、に設けられている。つまり、満杯に収納された状態の各棒金Ｂの位置に合わせて係合部６１が配置されている。よって、棒金Ｂを棒金収納凹部４１にセットする際に下端部を各収納位置の係合部６１に係合させることにより、各収納位置への棒金Ｂのセットが容易かつ正確にできる上、セット後の位置ズレを規制できる。したがって、セット作業の作業性が向上する。
【００６８】
また、２本収納空間５１〜５６のうちの同一の２本収納空間に設けられた隣り合う所定の２カ所の係合部６１は、互いに近接する分割部６２が１本の棒金Ｂの下端加締部ＰＫの内側に同時に係合可能となっているため、同一の係合部６１を構成する２カ所の分割部６２に棒金Ｂの下端加締部ＰＫを係合させたり、隣り合う係合部６１の近接する２カ所の分割部６２に棒金Ｂの下端加締部ＰＫを係合させたりすることができる。よって、棒金Ｂの収納位置の自由度が高まることになり、使い勝手性を向上させることができる。
【００６９】
また、２本収納空間５１〜５６のうちの同一の２本収納空間に設けられた隣り合う所定の２カ所の係合部６１は、互いに近接する分割部６２が１本の棒金Ｂの下端加締部ＰＫの内側に同時に係合可能な３位置係合可能部６３となっており、棒金収納凹部４１は、３位置係合可能部６３を６カ所有しているため、棒金Ｂの収納位置の自由度が高まることになり、使い勝手性を向上させることができる。
【００７０】
また、棒金収納凹部４１の周囲に設けられた複数の係止部８１に輪ゴムＲを係止すれば、この輪ゴムＲで棒金収納凹部４１内の１本〜９本の棒金Ｂを立位状態に維持することができる。
【符号の説明】
【００７１】
１０  現金管理装置
１１  現金管理装置本体
１２  収納庫
１２（Ｃ）  棒金収納庫
３４  枠体
３８  棒金トレイ
４１  棒金収納凹部
４３  周壁部
４４  底部
４５  前壁部
４６  側壁部
４７  側壁部
４８  後壁部
５１〜５６  ２本収納空間
６１  係合部
６２  分割部
６３  ３位置係合可能部
８１  係止部
８２  柱状部
８３  突起部
Ｂ  棒金
Ｒ  輪ゴム
【図１】
2016103070.tif 000003
【図２】
2016103070.tif 000004
【図３】
2016103070.tif 000005
【図４】
2016103070.tif 000006
【図５】
2016103070.tif 000007
【図６】
2016103070.tif 000008
【図７】
2016103070.tif 000009
【図８】
2016103070.tif 000010
【図９】
2016103070.tif 000011
【図１０】
2016103070.tif 000012
【図１１】
2016103070.tif 000013